(57)【要約】【課題】発注を行う際に、発注先を分散させる、あるいは、一箇所に発注する数量を制限するという方法を取ることがある。しかし、複数の出荷元からの情報を取りまとめて仲介を行う仲介サイトを用いて発注を行う場合には真の出荷者が分からないために、ある特定の出荷元に発注の大部分を行ってしまうことがあり、その出荷元でトラブルが発生した場合には発注したある商品が全く入荷できなくなってしまうという危険性がある。【解決手段】仲介サイトが、発注元から商品の発注に関する情報を受け取ると、発注元の受注先に対する制限に関する情報を有する配賦ファイルを参照して該商品の受注先の分散に関する制限の情報とを抽出し、扱い品の出荷元に関する情報を有する在庫ファイルと、受注先の分散に関する制限の情報とを参照して、出荷元を決定することにより解決される。【選択図】図１
2004118690.tif 000002
【特許請求の範囲】
【請求項１】
扱い品の出荷元に関する情報を有する在庫ファイルと、
発注者端末から、商品の受注先の分散に関する情報を受け付ける機能と、
出品者端末から、商品の出品に関する情報を受け付ける機能と、
を有するシステムにおいて実行される商品受発注の仲介方法であって、
前記システムが、発注者端末から商品の注文を受け付けると、前記在庫ファイルの持つ扱い品の出荷元に関する情報とを参照して、該商品を出荷可能な出品者を抽出し、
前記システムが、前記受け付けた受注先の分散に関する情報を参照して、前記抽出した出品者に対して受け付けた受注を割り振り、
前記システムが、前記抽出した出品者の出品者端末に対して、前記割り振った受注に対する出荷の指示を行うこと、
を特徴とする商品受発注の仲介方法。
【請求項２】
前記システムが、発注者端末から一受注先に対する発注量の上限に関する情報を受け付ける機能を合わせて有し、
前記システムが、前記受け付けた受注先の分散に関する情報と、前記一受注先に対する発注量の上限に関する情報とを参照して、前記抽出した出品者に対して受け付けた受注を割り振ること、
を特徴とする付記１に記載の商品受発注の仲介方法。
【請求項３】
扱い品の出荷元に関する情報を有する在庫ファイルと、
発注者端末から、一受注先に対する発注量の上限に関する情報を受け付ける機能と、
出品者端末から、商品の出品に関する情報を受け付ける機能と、
を有するシステムにおいて実行される商品受発注の仲介方法であって、
前記システムが、発注者端末から商品の注文を受け付けると、前記在庫ファイルの持つ扱い品の出荷元に関する情報とを参照して、該商品を出荷可能な出品者を抽出し、
前記システムが、前記一受注先に対する発注量の上限に関する情報を参照して、前記抽出した出品者に対して受け付けた受注を割り振り、
前記システムが、前記抽出した出品者の出品者端末に対して、前記割り振った受注に対する出荷の指示を行うこと、
を特徴とする商品受発注の仲介方法。
【発明の詳細な説明】
【０００１】
【発明が属する技術分野】
本発明は、商品受発注の仲介方法に関する。
【０００２】
【従来の技術】
発注を行う側は、受注した先でトラブルが発生した場合に商品を全く受け取れなくなり、作業進捗に影響がでるという事態を避けるため、発注先を分散させる、あるいは、一箇所に発注する数量を制限する、という方法をとっている。
【０００３】
在庫情報を共有することで、飛び込みや変更などの緊急の注文に対して他の企業の在庫情報を参照し、引当を行うことが述べられている。（特許文献１）
発注者と受注者がＥＤＩシステムにおいて取引を仲介し、受発注に関する作業負担を軽減することが述べられている。（特許文献２）
【０００４】
【特許文献１】
特開２００１−３５７２７０号公報
【０００５】
【特許文献２】
特開２００１−３４４４８５号公報
【０００６】
【発明が解決しようとする課題】
複数の出荷元からの情報を取りまとめて仲介を行う仲介サイトを用いて発注を行う場合には真の出荷者が分からないために、ある特定の出荷元に発注の大部分を行ってしまうことがあり、その出荷元でトラブルが発生した場合には発注したある商品が全く入荷できなくなってしまうという危険性がある。このような事態が発生すると、建築などの作業現場においては、入荷できなかった商品のために、他の全ての作業が停止するといった事態も起こりうる。
【０００７】
また、出荷元から発注者の手元に届くまでには、複数の中継業者を仲介することがある。欠品時などのスポットで入る急ぎの発注時は、これらの中継業者を飛ばす中抜きの方法によって出荷を行うほうが発注者に早く届く場合と、中継業者に対して発注者から、他の品についてもスポット発注がある場合などは、中継業者を使用した方が早く届く場合とがあるが、出荷元はどちらを用いるほうが良いかを判断できなかった。
【０００８】
【課題を解決するための手段】
複数の出荷先からの商品を扱う仲介センタにおいて、コンピュータに、扱い品の出荷元に関する情報を有する在庫ファイルと、発注元の受注先に対する制限に関する情報を有する配賦ファイルとを備え、発注元から商品の発注に関する情報を受け取ると、配賦ファイルを参照して該商品の受注先の分散に関する制限の情報とを抽出し、在庫ファイルが持つ出荷先に関する情報と、受注先の分散に関する制限の情報とを参照して、出荷元を決定する機能を持たせることにより解決する。
【０００９】
【発明の実施の形態】
本発明における一実施形態のシステム全体の構成を図１に示す。
【００１０】
発注者端末１００は、プログラム及びデータを格納するメモリと、メモリ上のプログラムを実行するプロセッサを有し、キーボード、マウスなどの入力デバイス１０３と、モニタ、プリンタなどの出力デバイス１０１を備え、通信回線９０１を介して、仲介サーバ２００と通信可能なように構成している。
【００１１】
仲介サーバ２００は、プログラム及びデータを格納するメモリと、メモリ上のプログラムを実行するプロセッサを有し、プログラムはＣＤ−ＲＯＭ等の外部記憶装置２０１からメモリ上にロードされる。
【００１２】
出荷者端末３００は、プログラム及びデータを格納するメモリと、メモリ上のプログラムを実行するプロセッサを有し、キーボード、マウスなどの入力デバイス３０３と、モニタ、プリンタなどの出力デバイス３０１を備え、通信回線９０３を介して、仲介サーバ２００と通信可能なように構成している。
【００１３】
本発明の実施の一例を、図１から図１１を用いて示す。
【００１４】
発注者端末１００は、仲介サーバ２００から送信される情報を出力可能な出力装置１０１と、仲介サーバ２００に対して送信するための情報を入力する入力装置１０３とを備えている。
【００１５】
仲介サーバ２００は、出品者からの出品するとされた商品を記録する在庫ファイル５１０と、発注者が発注する際の制限に関する条件を記録した配賦ファイル５３０と、出品者からの出品するとされた商品を出品者に関する情報とあわせて在庫ファイルに記録する出荷受付機能２１０と、発注者からの発注に関する制限を受け付ける制限受付機能２２０と、発注者からの発注に関する情報を受け取ると、在庫ファイル５１０と配賦ファイルとを参照して、発注者の持つ制限に合致するように出荷者に発注数を配賦して発注を行う受注発注機能２３０とを備えている。
【００１６】
入札者端末３００は、主催者サーバ２００に対して送信するための情報を入力する入力装置３０３と、主催者サーバ１００から送信される情報を出力可能な出力装置３０１とを備えている。
【００１７】
在庫ファイル５１０は、図７で示すように、商品を特定する商品特定情報５１１と、商品につき出荷元から出荷すると受け付けた総数量を特定する数量総数特定情報５１３と、商品の出荷元を特定する出荷元特定情報５１４と、商品の出荷元が出荷するとした数量を特定する出荷元別数量特定情報５１５とを関連付けて持つように構成する。
【００１８】
配賦ファイル５３０は、図８で示すように、発注元を特定する発注元特定情報５３１と、制限の対象となる商品を特定する商品特定情報５３２と、最低限分散すべき発注先に関する情報を持つ最低発注先数特定情報５３３と、一箇所の発注先に対する発注量の上限値に関する情報を持つ発注先配賦上限特定情報５３４とを関連付けて持つように構成する。
【００１９】
実施例として、出荷者が発注者に出荷できる商品を登録し、発注者が発注における制限をセンタに登録し、発注者がセンタにアクセスをして発注を行い、センタが登録された制限を参照して出荷者に出荷の指示を行う例を示す。
【００２０】
出荷受付機能２１０において、出荷者から受け付けた、発注者に出荷できる商品を登録する例を、図２と図７とを用いて説明する。
【００２１】
出荷依頼受付は、出荷者端末３００から出荷の依頼を受け付ける。本実施の一例では、甲商店の端末から、建材である「Ａ００１」という商品につき、「１０」個の出荷依頼を受け付けたものとする。（ステップＳ２１１）
出荷元コード添付は、ステップＳ２３１で受け付けた情報に、出荷元を特定する情報を追加する。本実施の一例では、ステップＳ２１１で受け付けた商品を特定する情報「Ａ００１」と数量を特定する情報「１０」に、出荷元を特定する情報「甲商店」を追加する。（ステップＳ２１３）
在庫情報更新は、ステップＳ２１３で作成した情報を元に、在庫ファイル５１０を更新する。本実施の一例では、ステップＳ２１３で作成した商品を特定する「Ａ００１」をキーに在庫ファイル５１０の商品特定情報５１１を検索して商品特定情報Ａ００１のレコードを抽出し、数量総数特定情報５１２にステップ２１１で受け付けた個数の「１０」を加算し、ステップＳ２１３で追加した出荷元を特定する情報の「甲商店」をキーに商品特定情報Ａ００１のレコードの持つ出荷元特定情報５１３を検索してステップＳ２１１で受け付けた「甲商店」に関する情報を抽出し、出荷元別数量特定情からの出荷元別数量特定情報の持つ値に、ステップＳ２１１で受け付けた「１０」を加算して更新をする。図７は、更新前にＡ００１の数量総数特定情報が「９０」、出荷元数量特定情報が「７０」であったものが、ステップＳ２１１で受け付けた結果を反映し、Ａ００１の数量総数特定情報５１２が「１００」、出荷元数量特定情報５１４が「８０」となった状態を示している。（ステップＳ２１５）
制限受付機能２２０において、発注者から受け付けた、発注した商品の出荷元に関する制限を登録する例を、図３と図８乃至図９を用いて説明する。
【００２２】
出荷条件受付は、発注者端末１００から、出荷元の制限に関する情報を受け付ける。本実施の一例では、図９に示す配賦条件登録画面を介して、発注者端末１００から対象となる商品として「Ａ００１」、少なくとも分散する発注先数として「２」、一箇所の発注先に発注を行う上限として「１０」、の情報を受け付ける。（ステップＳ２２１）
配賦ファイル更新は、ステップＳ２２１で受け付けた情報で、配賦ファイル５３０を更新する。本実施の一例では、配賦ファイル５３０の発注元特定情報５３１を検索して、ステップＳ２２１で受け付けた発注者であるＡ建設のレコードを抽出し、商品特定情報５３２にステップＳ２２１で受け付けた対象となる商品の「Ａ００１」、最低発注先数特定情報５３３として、「Ｙ　≧」に、少なくとも分散する発注先数として受け付けた「２」を結合した「Ｙ　≧　２」を、発注先配賦上限特定情報として、「Ｘ　≦」に、ステップＳ２２１で受け付けた一箇所の発注先に発注を行う上限の「１０」を結合した「Ｘ　≦　１０」を格納する。（ステップＳ２２３）
発注受注機能２３０において、発注者から受け付けた商品につき、配賦ファイルの持つ発注者制限を参照して、出荷元に発注を行う例を、図４乃至図８と図１０を用いて説明する。
【００２３】
発注受付は、発注者端末１００から、発注に関する情報を受け付ける。本実施の一例では、発注者端末１００において図１０に示しように、発注商品として「Ａ００１」、発注数として「２０」と入力された値を受け取る。（ステップＳ２３１）
在庫数確認は、ステップＳ２３１で受け取った発注数が、出荷可能な在庫として登録されているかを、在庫ファイル５１０を参照して確認する。（ステップＳ２３３）
ステップＳ２３３において、受注数が在庫数よりも多ければエラー処理３００に遷移し、少なければ最低発注先数取得２３７に遷移する。本実施の一例では、ステップＳ２３３で受け付けた受注数の「２０」が、図７における「Ａ００１」の数量総数特定情報５１２の「１００」よりも少ないことから、ステップＳ２３７に遷移する。（ステップＳ２３５）
最低発注先数取得は、配賦ファイル５３０を参照して、発注者が事前に登録している、少なくとも分散する発注先数に関する情報を取得する。本実施の一例では、配賦ファイル５３０を、発注者である「Ａ建設」と受注した商品である「Ａ００１」とをキーに発注元特定情報５３１と商品特定情報５３２を検索し、最低発注先数特定情報５３３として、「Ｙ　≧　２」を取得する。（ステップＳ２３７）
ステップＳ２３１で受け取った受注商品を特定する情報をキーに在庫ファイル５１０を検索し、該当商品の出荷元特定情報から出荷元数を求めて、ステップＳ２３７で取得した条件を満たすかを判断する。本実施の一例では、ステップＳ２３１で受け取った「Ａ１００」をキーに在庫ファイル５１０を検索し、該当商品の出荷元特定情報として「甲商店」と「乙商店」があることから、出荷元数として「２」を求めて、ステップＳ２３７で求めた条件である「Ｙ　≧　２」の「Ｙ」として「２」を当てはめると、条件を満たすため、ステップＳ２４１に遷移する。（ステップＳ２３９）
配賦上限取得は、配賦ファイル５３０を参照して、発注者が事前に登録している、一箇所の受注元に発注できる最大限の数量を取得する。本実施の一例では、発注者である「Ａ建設」と受注した商品である「Ａ００１」とをキーに発注元特定情報５３１と商品特定情報５３２を検索し、発注先配賦上限特定情報５３４として、「Ｘ　≦　１０」を取得する。（ステップＳ２４１）
出荷元別出荷数取得は、ステップＳ２３１で受け取った情報をキーに在庫ファイル５１０を検索し、出荷元特定情報５１３と出荷元別数量特定情報５１４とを関連付けて取得する。本実施の一例では、ステップＳ２３１で受け取った受注した商品である「Ａ００１」をキーに在庫ファイル５１０を検索し、「甲商店」が「８０」個と、「乙商店」が「２０」の情報を取得する。（ステップＳ２４３）
出荷元別配賦処理は、発注者端末から受け付けた発注を、発注者の登録した条件に合う範囲で、在庫ファイルに登録を行った各出荷者に対して割り振る。本実施の一例では、ステップＳ２３１で受注した「２０」を、ステップＳ２４３で取得した出荷元である「甲商店」と「乙商店」の数の２で割った品数を割り当て、甲商店に１０個、乙商店に１０個を割り当てる。（ステップＳ２４５）
ステップＳ２４５で各出荷元に割り当てた数量が、ステップＳ２４１で取得した、発注者が事前に登録している一箇所の受注元に発注できる最大限の数量の条件を満たしているかを確認し、満たしていればステップＳ２４９の出荷指示に遷移し、満たしていなければステップＳ３００のエラー処理に遷移する。本実施の一例では、ステップＳ２４１で取得した条件である「Ｘ　≦　１０」の「Ｘ」に、ステップＳ２４５で甲商店と乙商店に各々割り振った１０個を代入して条件を判断すると、各々の条件を満たしていることからステップＳ２４９に遷移する。（ステップＳ２４７）
出荷指示処理は、ステップＳ２４５で各出荷元に割り振った内容で、各出荷元に対して、発注者に対して指定量を出荷するように指示する。本実施の一例では、甲商店に対して「Ａ００１」を「Ａ建設」に「１０個」出荷するように指示し、乙商店に対しても「Ａ００１」を「Ａ建設」に「１０個」出荷するように指示する。（ステップＳ２４９）
在庫ファイル更新は、ステップＳ２４９において各出荷元に出荷指示を行った結果を、在庫ファイル５１０に反映させる。本実施の一例では、在庫ファイル５１０の「Ａ００１」の数量総数特定情報５１２を「１００」から「８０」に、出荷元特定情報５１３が「甲商店」に関連付けられた出荷元別数量特定情報５１４を「８０」から「７０」に、出荷元特定情報５１３が「乙商店」に関連付けられた出荷元別数量特定情報５１４を「２０」から「１０」に更新する。（ステップＳ２５１）
ステップＳ３００のエラー処理において、発注に対して発生したエラーを発注者端末に通知する処理の一例を図６と図１１を用いて説明する。本実施の一例では、ステップＳ２３１の受注受付において、「Ａ建設」から「Ａ００３」の「１０」個の発注を受けた場合を元に説明する。ステップＳ２３１からステップＳ２３７までは、前述の説明と同様の処理が行われ、ステップＳ２３９において、「Ａ００３」を取り扱う出荷元が「甲商店」の１箇所しかないために、「Ａ建設」が「Ａ００３」の扱いにおいて設定している条件の「Ｙ　≧　４」条件を満たさないために、エラー判定がなされたものとする。
【００２４】
エラー内容通知は、エラーの内容につき発注者端末１００に通知を行う。本実施の一例では、図１１に示すように、発注者端末１００の出力装置１０３に、発注された「Ａ００３」を、指定された４ヶ所以上に分散発注ができず、１箇所にしか発注ができない旨の表示を行う。（ステップＳ３１１）
応答受付は、ステップＳ３１１に対して、発注者が発注者端末１００の入力装置１０３を用いて返信された情報を受け取る。本実施の一例では、発注者が図１１の画面に対して、入力装置を操作し、「上記条件を承諾し、発注を継続する」を選択して返信した情報を受け取るものとする。（ステップＳ３１３）
ステップＳ３１３において、発注者端末１００から、発注を取り消す旨の情報を受け取った場合は受注発注処理を終了し、発注を継続する旨の情報を受け取った場合はステップＳ３１７に遷移する。本実施の一例では、ステップＳ３１３において処理を継続する旨の情報を受け取ったため、ステップＳ３１７に遷移する。（ステップＳ３１５）
条件一時変更処理は、ステップＳ３１３で受け取った情報に合わせて以降の処理が進むように、配賦ファイル５３０の持つ情報を一時的に変更する。本実施の一例では、ステップＳ３１３において、発注者端末１００から、商品「Ａ００３」における発注の分散先を「１」することを承諾する旨の情報を受け取ったことから、配賦ファイル５３０の「Ａ商店」の商品「Ａ００３」が持つ最低発注先数特定情報５３３の「Ｙ　≧　４」を一時退避領域に記録した後、「Ｙ　≧　１」を格納し、エラー処理を終了して、所定の正常処理に戻る。（ステップＳ３１７）在庫ファイル５１０に商品の出荷におけるリードタイムに関する情報を持たせ、出荷元別配賦処理において、リードタイムを考慮した配賦を行うようにしてもよい。
【００２５】
リードタイムに関する情報が、出荷元から直接発注者に配送する場合のリードタイムと、中継業者に配送する場合のリードタイムと、中継者を特定する情報を有し、出荷元別配賦処理において、出荷元から直接配送する場合のリードタイムと、中継業者を経由する場合のリードタイムを考慮した配賦を行うようにしてもよい。
【００２６】
在庫ファイル５１０に商品の価格に関する情報を持たせ、出荷元別配賦処理において、商品の価格を考慮した配賦を行うようにしてもよい。
【００２７】
出荷指示において、トランスシップ（受注側の入荷即出荷）データを識別子として付与する事で、出荷指示を受けた出荷者に、直接発注者に納品する事を示すようにしてもよい。
（付記１）扱い品の出荷元に関する情報を有する在庫ファイルと、
発注者端末から、商品の受注先の分散に関する情報を受け付ける機能と、
出品者端末から、商品の出品に関する情報を受け付ける機能と、
を有するシステムにおいて実行される商品受発注の仲介方法であって、
前記システムが、発注者端末から商品の注文を受け付けると、前記在庫ファイルの持つ扱い品の出荷元に関する情報とを参照して、該商品を出荷可能な出品者を抽出し、
前記システムが、前記受け付けた受注先の分散に関する情報を参照して、前記抽出した出品者に対して受け付けた受注を割り振り、
前記システムが、前記抽出した出品者の出品者端末に対して、前記割り振った受注に対する出荷の指示を行うこと、
を特徴とする商品受発注の仲介方法。
（付記２）前記システムが、発注者端末から一受注先に対する発注量の上限に関する情報を受け付ける機能を合わせて有し、
前記システムが、前記受け付けた受注先の分散に関する情報と、前記一受注先に対する発注量の上限に関する情報とを参照して、前記抽出した出品者に対して受け付けた受注を割り振ること、
を特徴とする付記１に記載の商品受発注の仲介方法。
（付記３）扱い品の出荷元に関する情報を有する在庫ファイルと、
発注者端末から、一受注先に対する発注量の上限に関する情報を受け付ける機能と、
出品者端末から、商品の出品に関する情報を受け付ける機能と、
を有するシステムにおいて実行される商品受発注の仲介方法であって、
前記システムが、発注者端末から商品の注文を受け付けると、前記在庫ファイルの持つ扱い品の出荷元に関する情報とを参照して、該商品を出荷可能な出品者を抽出し、
前記システムが、前記受け付けた一受注先に対する発注量の上限に関する情報を参照して、前記抽出した出品者に対して受け付けた受注を割り振り、
前記システムが、前記抽出した出品者の出品者端末に対して、前記割り振った受注に対する出荷の指示を行うこと、
を特徴とする商品受発注の仲介方法。
（付記４）商品受発注の仲介プログラムであって、
発注者端末から商品の注文を受け付けるステップと、
扱い品の出荷元に関する情報を有する在庫ファイルを参照して、該商品を出荷可能な出品者を抽出するステップと、
受注先の分散に関する情報を有するファイルを、前記抽出した出品者に対して受け付けた受注を割り振るステップと、
前記割り振った受注者に対して出荷の指示を行うステップと、
を有する特徴とする商品受発注の仲介方プログラム。
（付記５）商品受発注の仲介方プログラムを記録した記録媒体であって、
発注者端末から商品の注文を受け付けるステップと、
扱い品の出荷元に関する情報を有する在庫ファイルを参照して、該商品を出荷可能な出品者を抽出するステップと、
受注先の分散に関する情報を有するファイルを、前記抽出した出品者に対して受け付けた受注を割り振るステップと、
前記割り振った受注者に対して出荷の指示を行うステップと、
をコンピュータに実行させるプログラムを記録したコンピュータ読み取り可能な記憶媒体。
（付記６）前記在庫ファイルが出荷におけるリードタイムに関する情報を合わせて有し、
前記システムが、発注者端末から商品の注文を受け付けると、前記在庫ファイルの持つ扱い品の出荷元に関する情報とリードタイムに関する情報とを参照して、該商品を出荷可能な出品者を抽出すること、
を特徴とする、付記１に記載の商品受発注の仲介方法。
（付記７）前記在庫ファイルが中継者を特定する情報をあわせて有し、前記リードタイムが、出荷元から直接発注者に配送する場合のリードタイムと、中継業者に配送する場合のリードタイムを有し、
前記システムが、出荷元から直接配送する場合のリードタイムと、中継者を経由する場合のリードタイムを考慮した配賦を行うこと、
を特徴とする、付記６に記載の商品受発注の仲介方法。
（付記８）前記在庫ファイルが商品の価格に関する情報を合わせて有し、
前記システムが、発注者端末から商品の注文を受け付けると、前記在庫ファイルの持つ扱い品の出荷元に関する情報と価格に関する情報とを参照して、該商品を出荷可能な出品者を抽出すること、
を特徴とする、付記１に記載の商品受発注の仲介方法。
【００２８】
【発明の効果】
発注者が意図しない間に一箇所の卸元に集中して発注することがなくなり、
自動的にリスク分散が図れる。
【００２９】
出荷元に、中継する業者に対して出荷するのか、あるいは直接発注者に対して出荷するのかを指示できることから、入荷分と出荷分のリードタイム削減と
流通費削減が可能となる。
【図面の簡単な説明】
【図１】全体の構成の一例を示す図
【図２】出荷受付処理の流れを示す図
【図３】制限受付処理の流れを示す図
【図４】受注発注処理の流れを示す第一の図
【図５】受注発注処理の流れを示す第二の図
【図６】エラー処理の流れを示す図
【図７】在庫ファイルの一例を示す図
【図８】配賦ファイルの一例を示す図
【図９】配賦制限の登録画面例を示す図
【図１０】発注の入力画面例を示す図
【図１１】エラーの通知画面例を示す図
【符号の説明】
１００　発注者端末
１０１　発注者端末の出力装置
１０３　発注者端末の入力装置
２００　仲介サーバ
２０１　外部記憶装置
２１０　出荷受付プログラム
２２０　制限受付プログラム
２３０　受注発注プログラム
３００　出荷者端末
３０１　出荷者端末の出力装置
３０３　出荷者端末の入力装置
５１０　在庫ファイル
５３０　配賦ファイル
９０１、９０３　通信回線
【図１】
2004118690.tif 000003
【図２】
2004118690.tif 000004
【図３】
2004118690.tif 000005
【図４】
2004118690.tif 000006
【図５】
2004118690.tif 000007
【図６】
2004118690.tif 000008
【図７】
2004118690.tif 000009
【図８】
2004118690.tif 000010
【図９】
2004118690.tif 000011
【図１０】
2004118690.tif 000012
【図１１】
2004118690.tif 000013